(57)【特許請求の範囲】
【請求項１】
回転子及び固定子を備えた電動機と、一端が開口し内部に前記電動機を収容するハウジングと、前記回転子に設けられた回転軸と、該回転軸に固定された遠心ファンと、該遠心ファンの背面側に配置された仕切板と、該仕切板の前面側であって前記遠心ファンの外周側に配置されたディフューザと、前記仕切板の後面側に配置されたリターンガイドと、前記ハウジングの開口側に設けられ、前記遠心ファン、前記ディフューザ、前記リターンガイドを覆うファンケーシングとを備えた電動送風機において、
前記ディフューザは複数のディフューザ翼を備え、
前記複数のディフューザ翼の少なくとも一部のディフューザ翼には、隣り合う前記ディフューザ翼双方に挟まれて形成される重なり部空気流れ流路の一方のディフューザ翼の出口端面から開口端補正値δを加えた位置までの間の他方のディフューザ翼に、前記仕切板から立ち上がった貫通孔が形成され、
前記貫通孔の高さは、前記ディフューザ翼の高さの１／２以下であることを特徴とする電動送風機。
【請求項２】
請求項１において、
前記開口端補正値δは、前記重なり部空気流れ流路の出口の長方形断面における辺の寸法をａおよびｂとし、
ａ＞ｂ
とするとき、次式（数１）
【数１】
0004729599.tif 000003
によって求められる距離であることを特徴とする電動送風機。
【請求項３】
回転子及び固定子を備えた電動機と、一端が開口し内部に前記電動機を収容するハウジングと、前記回転子に設けられた回転軸と、該回転軸に固定された遠心ファンと、該遠心ファンの背面側に配置された仕切板と、該仕切板の前面側であって前記遠心ファンの外周側に配置されたディフューザと、該ディフューザの反仕切板側に配置された環状板と、前記仕切板の後面側に配置されたリターンガイドと、前記ハウジングの開口側に設けられ、前記遠心ファン、前記ディフューザ、前記リターンガイド、前記環状板を覆うファンケーシングとを備えた電動送風機において、
前記ディフューザは複数のディフューザ翼を備えると共に、前記環状板に一体形成され、
前記複数のディフューザ翼の少なくとも一部のディフューザ翼には、隣り合う前記ディフューザ翼双方に挟まれて形成される重なり部空気流れ流路の一方のディフューザ翼の出口端面から開口端補正値δを加えた位置までの間の他方のディフューザ翼に、反環状板側から切欠かれた切欠き部を備え、
前記ディフューザを前記仕切板に接合させることにより、前記切欠き部を貫通孔とし、
前記貫通孔の高さは、前記ディフューザ翼の高さの１／２以下であることを特徴とする電動送風機。
【請求項４】
集塵室及び電動送風機を収納する掃除機本体と、一端が該掃除機本体に接続されるホースと、一端が該ホースの他端に接続される手元操作部と、一端が該手元操作部の他端に接続される延長管と、該延長管の他端に接続される吸口体とを備えた電気掃除機において、
前記電動送風機は、
回転子及び固定子を備えた電動機と、一端が開口し内部に前記電動機を収容するハウジングと、前記回転子に設けられた回転軸と、該回転軸に固定された遠心ファンと、該遠心ファンの背面側に配置された仕切板と、該仕切板の前面側であって前記遠心ファンの外周側に配置されたディフューザと、前記仕切板の後面側に配置されたリターンガイドと、前記ハウジングの開口側に設けられ、前記遠心ファン、前記ディフューザ、前記リターンガイドを覆うファンケーシングとを備え、
前記ディフューザは複数のディフューザ翼を備え、
前記複数のディフューザ翼の少なくとも一部のディフューザ翼には、隣り合う前記ディフューザ翼双方に挟まれて形成される重なり部空気流れ流路の一方のディフューザ翼の出口端面から開口端補正値δを加えた位置までの間の他方のディフューザ翼に、前記仕切板から立ち上がった貫通孔が形成され、
前記貫通孔の高さは、前記ディフューザ翼の高さの１／２以下であることを特徴とする電気掃除機。
【請求項５】
集塵室及び電動送風機を収納する掃除機本体と、一端が該掃除機本体に接続されるホースと、一端が該ホースの他端に接続される手元操作部と、一端が該手元操作部の他端に接続される延長管と、該延長管の他端に接続される吸口体とを備えた電気掃除機において、
前記電動送風機は、
回転子及び固定子を備えた電動機と、一端が開口し内部に前記電動機を収容するハウジングと、前記回転子に設けられた回転軸と、該回転軸に固定された遠心ファンと、該遠心ファンの背面側に配置された仕切板と、該仕切板の前面側であって前記遠心ファンの外周側に配置されたディフューザと、該ディフューザの反仕切板側に配置された環状板と、前記仕切板の後面側に配置されたリターンガイドと、前記ハウジングの開口側に設けられ、前記遠心ファン、前記ディフューザ、前記リターンガイド、前記環状板を覆うファンケーシングとを備え、
前記ディフューザは複数のディフューザ翼を備えると共に、前記環状板に一体形成され、
前記複数のディフューザ翼の少なくとも一部のディフューザ翼には、隣り合う前記ディフューザ翼双方に挟まれて形成される重なり部空気流れ流路の一方のディフューザ翼の出口端面から開口端補正値δを加えた位置までの間の他方のディフューザ翼に、反環状板側から切欠かれた切欠き部を備え、
前記ディフューザを前記仕切板に接合させることにより、前記切欠き部を貫通孔とし、
前記貫通孔の高さは、前記ディフューザ翼の高さの１／２以下であることを特徴とする電気掃除機。
【請求項６】
請求項４において、
前記開口端補正値δは、前記重なり部空気流れ流路の出口の長方形断面における辺の寸法をａおよびｂとし、
ａ＞ｂ
とするとき、次式（数１）
【数２】
0004729599.tif 000004
によって求められる距離であることを特徴とする電気掃除機。
【発明の詳細な説明】
【技術分野】
【０００１】
本発明は電動送風機及びこれを備えた電気掃除機に関するものである。
【背景技術】
【０００２】
従来の電動送風機は、例えば特許文献１（特開昭５４−１０５３０７号公報）がある。この特許文献１には、羽根車（遠心ファン）の背面側に仕切板を設け、この仕切板の前面であって羽根車の外周側にディフューザ・ベーン（ディフューザ翼）を設け、このディフューザ・ベーンに前面側（反仕切板側）から切込みを設けるようにした電動送風機が開示されている。
【０００３】
また、その他の従来技術として、例えば特許文献２（特開平８−２４２５５３号公報）がある。この特許文献２には、インペラ（遠心ファン）の外周側にエアガイド（ディフューザ）を設け、このエアガイドの羽根部に１つ若しくは複数の貫通孔を設けた電動送風機が開示されている。
【０００４】
【特許文献１】特開昭５４−１０５３０７号公報
【特許文献２】特開平８−２４２５５３号公報
【発明の開示】
【発明が解決しようとする課題】
【０００５】
特許文献１では、ディフューザ・ベーンに前面側（反仕切板側）から切込みを設けるようにして騒音の低減を図るようにしている。ディフューザは遠心ファンからの流れを減速して動圧を静圧に回復させるために設けられているが、特許文献１では切込みからの流れがディフューザ・ベーン間を流れる主流の減速を阻害し、圧力回復が十分に行えず、送風機の効率が低下するという課題があった。
【０００６】
また、特許文献２においても遠心ファンの１つ若しくは複数の貫通孔を設けているが、特許文献１と同様、貫通孔からの流れがディフューザ・ベーン間を流れる主流の減速を阻害し、圧力回復が十分に行えず、送風機の効率が低下するという課題があった。
【０００７】
特許文献１及び２では送風機効率を考慮した貫通孔の位置については、全く配慮がなされていなかった。
【０００８】
本発明の目的は、上記課題を解決し、送風機の騒音を低下させると共に、送風機の効率向上を図った電動送風機及びこの電動送風機を備えた電気掃除機を提供することにある。
【課題を解決するための手段】
【０００９】
上記目的を達成するために本発明の特徴とするところは、回転子及び固定子を備えた電動機と、一端が開口し内部に前記電動機を収容するハウジングと、前記回転子に設けられた回転軸と、該回転軸に固定された遠心ファンと、該遠心ファンの背面側に配置された仕切板と、該仕切板の前面側であって前記遠心ファンの外周側に配置されたディフューザと、前記仕切板の後面側に配置されたリターンガイドと、前記ハウジングの開口側に設けられ、前記遠心ファン、前記ディフューザ、前記リターンガイドを覆うファンケーシングとを備えた電動送風機において、前記ディフューザは複数のディフューザ翼を備え、前記複数のディフューザ翼の少なくとも一部のディフューザ翼には、隣り合う前記ディフューザ翼双方に挟まれて形成される重なり部空気流れ流路の一方のディフューザ翼の出口端面から開口端補正値δを加えた位置までの間の他方のディフューザ翼に、前記仕切板から立ち上がった貫通孔が形成され、前記貫通孔の高さは、前記ディフューザ翼の高さの１／２以下にしたことにある。
または、本発明の特徴とするところは、回転子及び固定子を備えた電動機と、一端が開口し内部に前記電動機を収容するハウジングと、前記回転子に設けられた回転軸と、該回転軸に固定された遠心ファンと、該遠心ファンの背面側に配置された仕切板と、該仕切板の前面側であって前記遠心ファンの外周側に配置されたディフューザと、該ディフューザの反仕切板側に配置された環状板と、前記仕切板の後面側に配置されたリターンガイドと、前記ハウジングの開口側に設けられ、前記遠心ファン、前記ディフューザ、前記リターンガイド、前記環状板を覆うファンケーシングとを備えた電動送風機において、前記ディフューザは複数のディフューザ翼を備えると共に、前記環状板に一体形成され、前記複数のディフューザ翼の少なくとも一部のディフューザ翼には、隣り合う前記ディフューザ翼双方に挟まれて形成される重なり部空気流れ流路の一方のディフューザ翼の出口端面から開口端補正値δを加えた位置までの間の他方のディフューザ翼に、反環状板側から切欠かれた切欠き部を備え、前記ディフューザを前記仕切板に接合させることにより、前記切欠き部を貫通孔とし、前記貫通孔の高さは、前記ディフューザ翼の高さの１／２以下にしたことである。
【発明の効果】
【００１０】
本発明によれば、送風機の騒音を低下させると共に、送風機の効率向上を図った電動送風機及びこの電動送風機を備えた電気掃除機を提供することができる。
【発明を実施するための最良の形態】
【００１１】
図１２に本発明の一実施例に係る電気掃除機の外観斜視図を示す。１０１は塵埃を集塵する集塵室及び集塵するのに必要な吸込気流を発生させる電動送風機を収納する掃除機本体、１０２は一端がホース継手１０２ａを介して掃除機本体１０１に接続されるホース、１０３は一端がホース１０２の他端に接続される手元操作部、１０４は一端が手元操作部１０３の他端に接続される延長管、１０５は延長管１０４の他端に接続される吸口体である。１０３ａは手元操作部１０３に設けられた電動送風機の入切を行うスイッチ部である。
【００１２】
次に図１１を用いて掃除機本体１０１の構成を示す。図１１は本発明の一実施例に係る掃除機本体の横断面図である。図１１において、１１０は掃除機本体１０１の前側に形成された集塵室、１１１は集塵室１１０に備えられ、塵埃を集塵する集塵袋、１１２は掃除機本体１０１の後側に形成された電動送風機室、１１３は電動送風機室１１２内に備えられ、吸引力を発生させる電動送風機である。１１４は電動送風機１１３を支持する防振ゴムであり、１１５は集塵室と電動送風機１１３との間に配置されたフィルター部である。
【００１３】
以上の構成において、手元操作部１０３のスイッチ部１０３ａを操作すると、掃除機本体１０１に収納された電動送風機１１３が運転し、吸込気流を発生させる。そして、吸口体１０５から塵埃を吸込み、延長管１０４，手元操作部１０３，ホース１０２を通して掃除機本体１０１の集塵室１１０に配置された集塵袋１１１に集塵する。本実施例では集塵室１１０に集塵袋１１１を配置した掃除機を例示したが、遠心分離を利用したサイクロン集塵部を集塵室１１０に装着するようにしても良い。
【００１４】
次に図１０を用いて、電動送風機１１３の構成について説明する。図１０は本発明の一実施例に係る電動送風機１１３の縦断面図である。電動送風機１１３は送風機部１１と電動機部１２から構成されている。
【００１５】
電動機部１２は、一端が開口されたハウジング１３と、このハウジング１３の開口側に配置されたエンドブラケット１４により電動機外殻を構成している。回転子１６の回転軸１５はハウジング１３の反開口側とエンドブラケット１４により回転可能に支持され、この回転軸１５に回転子１６が取り付けられている。回転子１６の外周側には固定子１７が配置された構成となっている。回転子１６への電気の供給は、ブラシ１８とそれに接触するコンミテータ１９により伝えられる。ハウジング１３内には回転子１６，固定子１７，ブラシ１８が収納されている。
【００１６】
送風機部１１は、回転軸１５に固定され、吸込み口２０ａを備えた遠心ファン２０と、この遠心ファン２０の外周側に配置されたディフューザ２１と、このディフューザ２１に対して仕切板２３を挟んで対面に配置されるリターンガイド２５とがファンケーシング２６内に収められた構成となっている。ファンケーシング２６は、ハウジング１３の開口側に配置され、遠心ファン２０，前記ディフューザ２１，前記リターンガイド２５を覆っている。仕切板２３は遠心ファン２０の背面側（反吸込み口側）に位置している。仕切板２３の前面側にはディフューザ２１が配置され、仕切板２３の後面側にはリターンガイド２５が配置される。２７はディフューザ２１の反仕切板側に配置された環状板である。
【００１７】
この構成において、送風機入口１０から流入した空気は、まず遠心ファン２０で昇圧及び増速される。その後、ディフューザ２１を通過した流れは曲がり流路２４を経て略１８０°転向し、リターンガイド２５へと流入するが、この過程において流れは減速されて、その分だけ圧力が上昇する。リターンガイド２５を通過した流れは、電動機のハウジング１３内に流入し、回転子１６，固定子１７，ブラシ１８，コンミテータ１９などを冷却してから排気される。
【００１８】
図９にディフューザ２１の構成について説明する。図９はディフューザ２１を回転軸１５の軸方向である送風機入口１０側から見た図である。図９に示すようにディフューザ２１は、仕切板２３の前面側に複数（枚）のディフューザ翼２２が配置され、遠心ファン２０から排出された風が、隣り合うディフューザ翼２２の間を通過するようになっている。ここでディフューザ翼２２は円弧形を有し、流れの入口側から出口側にかけて隣り合うディフューザ翼２２との間隔が広がるように形成されており、そこを風が通過することでその流れが減速されて圧力が回復する。
【００１９】
ディフューザ翼２２の後縁は、ファンケーシング２６の近傍に位置している。ディフューザ翼２２の後縁とファンケーシング２６との間には、ディフューザ２１の内側に向かって切欠かれた略三角形状の三角窓５１が形成されている。ディフューザ翼２２間を出た風は三角窓５１を通じて垂直方向に転向し、リターンガイド２５側に流れていく。ここでディフューザ翼２２において凸面側５２と凹面側５３を図のように定義し、翼間流路の内、隣接する翼に囲まれる領域を重なり部５４，片側の翼のみに面した出口側領域を出口側半開部５５と定義することとする。
【００２０】
次に図７及び図８を用いて、ディフューザ２１におけるディフューザ翼２２間の流れについて説明する。図７は送風機部１１の部分拡大図であり、図８は図７におけるディフューザ２１の断面図である。図８（ａ）は図７のＡ−Ａ断面図であり、図８（ｂ）は図７のＢ−Ｂ断面図であり、図８（ｃ）は図７のＣ−Ｃ断面図である。
【００２１】
図７及び図８において、仕切板２３側をハブ側とし、遠心ファン２０の吸込み口２０ａ側をシュラウド側と定義する。従って、図８（ａ）はハブ側におけるディフューザ翼２２間の風の流れを示し、図８（ｃ）はシュラウド側におけるディフューザ翼２２間の風の流れを示し、図８（ｂ）はハブ側とシュラウド側の中間にあたるディフューザ翼２２の高さ方向の中央部におけるディフューザ翼２２間の風の流れを示している。
【００２２】
図８から明らかなように、ハブ側主流８１，中央断面主流８２，シュラウド側主流８３を見ると、ディフューザ翼２２間を流れる風の主流は、ディフューザ翼２２の凹面側に偏って流れており、速度が速い流れが集中していた。逆に凸面側には境界層が発達して、速度が遅い流れとなっていることがわかる。このことから、ディフューザ翼２２間では、有効な流路拡大が実現されておらず、圧力回復が十分になされていないということがわかる。この傾向は、特に図８（ａ）で示すハブ側が顕著であり、中央部からシュラウド側に行くに従い小さくなっている。本発明者らはディフューザ翼２２の高さ方向において、流れの乱れに違いがあることを見出した。このようにディフューザ翼２２間では、有効な流路拡大が実現されておらず、圧力回復が十分になされていないことから、送風機において騒音が発生すると共に、送風機の効率が低下していた。これを改善するには、特にハブ側の流れを改善する必要がある。以下、これを解決する手段について、図１〜図６を用いて説明する。
【００２３】
図１は本発明の一実施例に係るディフューザ２１の全体斜視図であり、図２は本発明の一実施例に係るディフューザ２１を電動機の回転軸１５方向から見た部分拡大図であり、図３は本発明の一実施例に係るディフューザ２１の貫通孔４０の位置を求めるための数式である。
【００２４】
図１において、仕切板２３にはこの仕切板２３から立ち上がった複数（枚）のディフューザ翼２２が設けられている。そして、ディフューザ翼２２には、仕切板２３から所定の高さまで立ち上がって貫通孔４０が形成されている。この貫通孔４０は隣り合う流路５６間を貫通するように形成されている。すなわち、貫通孔４０はハブ側に形成されている。また、この貫通孔４０はリターンガイド２５へ向けて流れが方向転換される三角窓５１（切欠部）の近傍に位置している。
【００２５】
次に図４を用いて貫通孔４０を設けた場合におけるディフューザ２１におけるディフューザ翼２２間の流れについて説明する。図４は図７におけるディフューザ２１の断面図である。図４（ａ）は図７のＡ−Ａ断面図であり、図４（ｂ）は図７のＢ−Ｂ断面図であり、図４（ｃ）は図７のＣ−Ｃ断面図である。
【００２６】
図４（ａ）において、貫通孔４０を設けた場合では、貫通孔４０を通じて翼の凸面側から凹面側に向かって漏れ流れが生じている。このため、貫通孔４０の存在するハブ面側では、図８（ａ）で見られた速度が遅い境界層が翼の反対側（凹面側）に吸出され、しかも吸出された流れによって、主流が図面左の方向に転向されている様子がわかる。そして、ディフューザ翼２２間において有効な流路拡大が実現され、圧力回復がなされている。また、図４（ｂ）における中央断面や図４（ｃ）におけるシュラウド側の流れについても、図４（ａ）のハブ側の流れほどではないが、ハブ側での流れの転向の影響を受け、ディフューザ翼２２間において有効な流路拡大が実現されている。このように本実施例では、ハブ側に貫通孔４０を設けたことにより、ハブ側，中央部，シュラウド側においてディフューザ翼２２間での有効な流路拡大が実現され、圧力回復がなされている。これにより、騒音を低減しつつ送風機の効率向上が図れる。
【００２７】
また、本実施例のようにディフューザ２１とリターンガイド２５が分離していて、三角窓５１（切欠き部）が間に存在するような場合には、翼の凸面側の方が三角窓が広く開いているので、この広い領域でハブ側流れを転向させるようにすることで、スムーズな曲がり流れを実現する効果がある。
【００２８】
貫通孔４０は、曲がり部となる三角窓５１への流入直前に開けられているが、貫通孔４０を通る流れによって、流入入口側（凸面側）は吸引力のため周囲よりも負圧となるので、翼間流れはこの貫通孔４０の方へ引き寄せられて曲がる効果があるため、リターンガイド２５へのつながる曲がり流れを支援する効果もある。
【００２９】
このようにディフューザ内を流れる主流の３次元的な偏向による有効な拡大流路面積の拡大と、ディフューザからリターンガイドへのスムーズな曲がり流れの実現によって、送風機効率を改善することができる。
【００３０】
本実施例については、上記のメカニズムを考慮することによって、特に次のような条件を設けることで、更なる効果を期待できることを実験的に確認している。即ち、図１に示した貫通孔４０の高さ（ｈ）は、ディフューザ高さ（Ｈ）の１／２以下、即ち、ｈ≦Ｈ／２とするのが望ましい。これらの高さは、貫通孔４０を開ける径位置において測定するものとする。また、図１では貫通孔４０の形状は長方形として示されているが、これに限定するものではなく、台形や円形など他の形状であってもよい。また、図２において、ディフューザ翼２２の貫通孔４０における接線（ａ）に垂直に交わる垂線（ｂ）とし、この垂線（ｂ）と貫通孔４０の中心線との角度差を貫通孔角度差（θ）と定義する。本実施例では、貫通孔角度差（θ）を０°≦θ≦４５°としている。この角度に設定することによって、貫通孔４０を通じての漏れ流れと主流との合流がスムーズになるからである。
【００３１】
次に図３を用いて、ディフューザ２１の貫通孔４０の位置を求める。貫通孔４０の位置を求める場合には、例えば特許第３５１０１０７号に開示の技術を用いればよい。
【００３２】
ディフューザ翼２２に形成される貫通孔４０は、ディフューザ翼２２の重なり部５４（図９）の出口端面６１から、出口側半開部５５（図９）側に距離δの位置６２までの間のディフューザ翼２２面に形成している。補正値δは、以下の式から算出する。補正値δは、重なり部空気流れ流路の出口の長方形断面における辺の寸法をａおよびｂとし、
ａ＞ｂ
とするとき、次式（数１）
【００３３】
【数１】
0004729599.tif 000002
【００３４】
で求められる距離とする。
【００３５】
ディフューザ２１における空気流れは重なり部５４を通過し、出口半開部５５を通る。ディフューザの重なり部５４においては、発生した音波が平面波となって流れ方向に伝播する。ところが、重なり部出口端面３０において、流路断面積が不連続に増大するため、この位置において音響インピーダンスが変化する。音響インピーダンスが変化する位置においては、それまで流れに沿って伝播してきた音波が反射をおこし、今度は反射波となって、逆に流れをさかのぼって上流側に伝播する。上流側の重なり部入口の位置においても、断面積が変化するために音響インピーダンスが変わる。したがって、上流側へ向かって伝播する反射波は、重なり部入口にて再度反射する。
【００３６】
このように、ディフューザ翼先端部で発生した音波が下流へ伝播し、反射して戻ってきて、再度反射するという過程を繰り返すことになるが、この往復反射の周期が、入射してくる元の音波の発生周期と一致すると、重なり部において共鳴が生じ、放射音が大きくなる。
【００３７】
このように、重なり部３４の出口端面３０においては、音波の圧力変動は０、すなわち定在波の節となる。正確にいえば、定在波の節は、重なり部３４の出口端面３０から開口端補正値である距離δを加えた位置３１に生ずる。上述した数式は、この開口端補正値δの値を求める式である。
【００３８】
図５に、貫通孔４０の有無及び貫通孔の形成位置による電動送風機の効率と騒音の変化を実験的に検証した結果の一例を示している。ここで、電動送風機効率とは下記式で定義されるものである。
【００３９】
電動送風機効率η＝出力／入力
出力＝ρｇＱＨ
（ρ：密度、ｇ：重力加速度、Ｑ：風量、Ｈ：圧力）
図５において、（１）は貫通孔４０を設けない場合、（２）は貫通孔４０をハブ側から立ち上げてディフューザ翼の１／２の高さまで形成した場合、（３）は貫通孔４０をシュラウド側からハブ側に向かって切欠いた場合を示している。
【００４０】
まず、電動送風機の効率を見ると、図５（ａ）から明らかなように、貫通孔４０を設けない場合（１）に比べ、本実施例のように貫通孔４０をハブ側から立ち上げてディフューザ翼の１／２の高さまで形成した場合（２）には、電動送風機の効率が向上していることが分かる。また、貫通孔４０をシュラウド側からハブ側に向かって切欠いた場合（３）には、貫通孔４０を設けない場合（１）に比べ、電動送風機の効率が低下しているのが分かる。このように貫通孔４０を形成する位置によって電動送風機の効率が大きく変化するのが分かる。
【００４１】
次に騒音を見ると、図５（ｂ）から明らかなように、貫通孔４０を設けない場合（１）に比べ、本実施例のように貫通孔４０をハブ側から立ち上げてディフューザ翼の１／２の高さまで形成した場合（２）には、羽根音（ピーク音）が低下していることが分かる。また、貫通孔４０をシュラウド側からハブ側に向かって切欠いた場合（３）には、貫通孔４０を設けない場合（１）に比べ、羽根音（ピーク音）が低下していることが分かる。また、本実施例のように貫通孔４０をハブ側から立ち上げてディフューザ翼の１／２の高さまで形成した場合（２）と、貫通孔４０をシュラウド側からハブ側に向かって切欠いた場合（３）とでは、羽根音（ピーク音）がほぼ同じレベルとなっていることが分かる。騒音低減、すなわち羽根音（ピーク音）の低減には貫通孔４０が大きく影響していることがわかる。このように貫通孔４０を形成する位置によって電動送風機の効率が大きく変化するのが分かる。
【００４２】
以上のように本実施例では、ディフューザ翼２２に、仕切板２３から所定の高さまで立ち上がって貫通孔４０を形成するようにしているので、送風機の騒音を低減しつつ、電動送風機の効率を向上することができるものである。
【００４３】
次に図６を用いて、貫通孔４０を設けたディフューザ２１，仕切板２３，リターンガイド２５との製作方法について説明する。図６は本発明の一実施例に係るディフューザ２１，仕切板２３，リターンガイド２５の制作方法を説明する図である。
【００４４】
図６において、２７はディフューザ２１の反仕切板側に配置され、リング状に形成された環状板である。環状板２７の仕切板２３と対面する側には、複数のディフューザ翼２２が設けられている。また、ディフューザ翼２２には、反環状板側から切欠かれた貫通孔４０となる切欠き部２２ａが形成されている。
【００４５】
本実施例では、環状板２７，ディフューザ翼２２，切欠き部２２ａを樹脂等で一体成形している。環状板２７，ディフューザ翼２２，切欠き部２２ａを成形するにあたっては、上下方向に抜ける金型を用意するだけで済み、金型構造が簡単であり、生産性が向上する。
【００４６】
また、円板状の仕切板２３には反ディフューザ翼２２側（仕切板２３の後面側）には、リターンガイド２５が設けられている。このリターンガイド２５は複数（枚）のリターンガイド翼２５ａから構成されている。
【００４７】
本実施例では、仕切板２３，リターンガイド翼２５ａを樹脂等で一体成形している。仕切板２３，リターンガイド翼２５ａを成形するにあたっては、上下方向に抜ける金型を用意するだけで済み、金型構造が簡単であり、生産性が向上する。
【００４８】
次にディフューザ翼２２の反環状板２７側と、仕切板２３のディフューザ翼２２側（仕切板２３の前面側）とを合わせ、接合する。接合方法としては、高周波を当てて樹脂を溶着する超音波溶着や接着剤などを使用する。接合方法は適宜選択すれば良い。ディフューザ翼２２の反環状板２７側と、仕切板２３のディフューザ翼２２側とが接合することにより、ディフューザ翼２２に貫通孔４０が形成される。そして、この貫通孔４０は仕切板２３から立ち上がった状態で形成される。
【００４９】
通常、貫通孔４０は仕切板２３から立ち上がった状態で形成する場合、貫通孔４０を形成するためのスライド金型を用いたり、あるいはドリル等を用いた追加工で形成する必要がある。これに対し、本実施例では、環状板２７，ディフューザ翼２２，切欠き部２２ａを一体成形し、また仕切板２３，リターンガイド翼２５ａを一体成形し、これらを接合するようにしているので、複雑な金型を用いることなく、貫通孔４０をディフューザ翼２２に形成することができる。
【００５０】
以上説明したように本実施例によれば、送風機の騒音を低下させると共に、送風機の効率向上を図った電動送風機及びこの電動送風機を備えた電気掃除機を提供することができる。
【００５１】
本実施例では、電気掃除機用の電動送風機について説明したが、これに限定されるものではない。必要に応じて様々な製品に適用すればよい。
【図面の簡単な説明】
【００５２】
【図１】本発明の一実施例に係るディフューザ２１の全体斜視図である。
【図２】本発明の一実施例に係るディフューザ２１を電動機の回転軸１５方向から見た部分拡大図である。
【図３】本発明の一実施例に係るディフューザ２１の貫通孔４０の位置を求めるための数式である。
【図４】図７におけるディフューザ２１の断面図である。
【図５】電動送風機の効率と騒音の変化を示す実験結果である。
【図６】本発明の一実施例に係るディフューザ２１，仕切板２３，リターンガイド２５の制作方法を説明する図である。
【図７】送風機部１１の部分拡大図である。
【図８】図７におけるディフューザ２１の断面図である。
【図９】ディフューザ２１を回転軸１５の軸方向である送風機入口１０側から見た図である。
【図１０】本発明の一実施例に係る電動送風機１１３の縦断面図である。
【図１１】本発明の一実施例に係る掃除機本体の横断面図である。
【図１２】本発明の一実施例に係る電気掃除機の外観斜視図である。
【符号の説明】
【００５３】
２１  ディフューザ
２２  ディフューザ翼
２３  仕切板
２５  リターンガイド
２５ａ  リターンガイド翼
４０  貫通孔
【図１】
0004729599.tif 000005
【図２】
0004729599.tif 000006
【図３】
0004729599.tif 000007
【図４】
0004729599.tif 000008
【図５】
0004729599.tif 000009
【図６】
0004729599.tif 000010
【図７】
0004729599.tif 000011
【図８】
0004729599.tif 000012
【図９】
0004729599.tif 000013
【図１０】
0004729599.tif 000014
【図１１】
0004729599.tif 000015
【図１２】
0004729599.tif 000016